(57)【要約】【課題】使い勝手が良く、従来と比べて小さなサイズであって、更には意匠性にも富んだリモコンを提供する。【解決手段】使用頻度の少ない設定系スイッチ群であるリモコン背面部操作部４をハンガーへの取付け部１４２を備えたリモコン背面Ｃに配置し、リモコンの正面Ａと天面Ｂを金属製の表面ケース７で一体的に形成し、リモコンの左右側面、底面、背面を構成する樹脂基台８を赤外線透過の赤外線フィルタと同素材とすることにより、リモコンそのものの形状が画期的に小さくなり且つ存在感のあるデザインとなり、意匠性も向上する。【選択図】  図１
2005204270.tif 000002
【特許請求の範囲】
【請求項１】
正面、天面、背面、底面および左右側面からなる形状のリモコンにおいて、少なくとも前記正面および前記天面を含んで一方向に連続した複数の面を金属製の表面ケースで形成し、残余の面を樹脂基台で形成し、少なくとも前記表面ケースに操作スイッチを配置し、前記表面ケースの内面に前記複数の面の端面より内側に位置する固定片を一体的に形成し、制御基板が取り付けられた前記樹脂基台と、前記表面ケースの固定片とをネジで固定したことを特徴とするリモコン。
【請求項２】
前記固定片を前記表面ケースの左右寸法より小さくし、表面ケースの左右端面を前記樹脂基台の左右側面に露出させた請求項１記載のリモコン。
【請求項３】
前記表面ケースをアルミニウム材の押出成形により形成し、前記固定片の端面を表面ケースの左右端面に露出しないように切断加工した請求項２記載のリモコン。
【請求項４】
前記固定片に前記ネジが挿通可能な貫通孔を開設し、前記固定片を挟んで前記ネジと対向する位置に前記ネジと螺合する雌ねじ部材を設けた請求項１〜３のいずれかに記載のリモコン。
【請求項５】
前記操作スイッチを、押圧可能なキートップと、前記キートップを保持する保持部材と、前記キートップの押圧によって変形するラバー部材と、前記ラバー部材の変形により入切されるスイッチを有するスイッチ回路部材とで構成した請求項１〜４のいずれかに記載のリモコン。
【請求項６】
前記操作スイッチを前記表面ケースの複数面に配置し、少なくとも一面に配置された操作スイッチを構成する前記スイッチ回路部材と、残余の面に配置された前記操作スイッチを構成する前記スイッチ回路部材とを第１通信線で接続し、前記スイッチ回路部材のいずれか一方と前記制御基板とを第２通信線で接続した請求項１〜５のいずれかに記載のリモコン。
【請求項７】
前記樹脂基台の背面にハンガー取り付け部を設けた請求項１〜６のいずれかに記載のリモコン。
【請求項８】
前記操作スイッチの一部をシーソースイッチとした請求項１〜７のいずれかに記載のリモコン。
【請求項９】
前記樹脂基台に赤外線信号を発する投光部を設け、前記投光部が発する赤外線信号を透過させる赤外線フィルタを前記樹脂基台と一体化した請求項１〜８のいずれかに記載のリモコン。
【請求項１０】
前記樹脂基台の背面に貫通孔を有する固定部品を設け、前記貫通孔を通して前記固定部品と前記ハンガーとをネジ止めした請求項１〜９のいずれかに記載のリモコン。
【発明の詳細な説明】
【技術分野】
【０００１】
本発明は、機能の異なる複数の操作スイッチを有するリモコン、特に、トイレルームに設置される衛生洗浄装置等のトイレ装置の遠隔操作に用いられるリモコンに関する。
【背景技術】
【０００２】
トイレルームに設置された衛生洗浄装置等のトイレ装置に備わる種々の機能を遠隔操作によって作動させるためにリモコンが用いられている。従来のリモコンは、一般に、トイレルーム内の壁面に取り付けて使用され、平板状をした正面パネルに種々の操作スイッチや表示部が配置されている。また、平常は、操作スイッチの一部や表示部を開閉自在なカバーによって隠蔽する構成としたリモコンもある（例えば、特許文献１参照）。
【０００３】
一方、トイレルーム壁面に取付けられた状態で目立ちやすいリモコンの正面パネルに使用頻度の高い種々の操作スイッチを配置し、この面と交わる他の面にその他の操作スイッチを配置したものもある（例えば、特許文献２参照）。
【０００４】
【特許文献１】特開２００３−７１６２号公報
【特許文献２】特開平０９−１６７５３７号公報
【発明の開示】
【発明が解決しようとする課題】
【０００５】
しかしながら、上述した従来のリモコンにあっては、衛生洗浄装置の多様な機能に対応させた種々の操作スイッチを全て配置すると、リモコンの大型化を回避することができなくなる。そこで、例えば、カバーによって操作スイッチを隠蔽することによって操作スイッチが乱雑に並ぶ煩雑さを抑えることは可能であるが、隠蔽した面積自体はリモコンの大きさに影響を与えるため、実際には、横幅２００ｍｍ、高さ１５０ｍｍ、奥行き２２ｍｍ程度の大きさとならざるを得ず、リモコンそのものの形状を画期的に小さくすることはできない状況にある。
【０００６】
また、近年においては、高級感を有するデザインが施された衛生洗浄装置付き便器も市場に登場し、高級マンション、高級店舗あるいは高級ホテルなどに設置され、好評となっている。しかし、このような高級な衛生洗浄装置付き便器に付設されるリモコンは、従来と同様、合成樹脂を素材とするものであり、質感などの点でトイレ装置本体と調和がとれないといった問題も生じている。
【０００７】
本発明は、上記問題点の解決を目的とするものであり、従来品と比べて小さなサイズであり、更には、意匠性に富んだリモコンを提供しようとするものである。
【課題を解決するための手段】
【０００８】
上記目的を達成するため、請求項１の発明は、正面、天面、背面、底面および左右側面からなる形状のリモコンにおいて、少なくとも前記正面および前記天面を含んで一方向に連続した複数の面を金属製の表面ケースで形成し、残余の面を樹脂基台で形成し、少なくとも前記表面ケースに操作スイッチを配置し、前記表面ケースの内面に前記複数の面の端面より内側に位置する固定片を一体的に形成し、制御基板が取り付けられた前記樹脂基台と、前記表面ケースの固定片とをネジで固定したことを特徴とする。このような構成とすれば、使用者の目につきやすい正面および天面が金属面となるので、金属材料特有の精度感、高級感が生じ、意匠性が向上する。また、制御基板は樹脂基台に取付けたので、金属製の表面ケースとの間で放電が起きる可能性も小さくなる。
【０００９】
請求項２の発明は、前記固定片を前記表面ケースの左右寸法より小さくし、前記表面ケースの左右端面を前記樹脂基台の左右側面に露出させたことを特徴とする。このような構成とすれば、樹脂基台の左右側面にそれぞれ金属製の表面ケースの左右端面が露出することにより、樹脂基台の左右側面の強度が高まるため、誤ってリモコンが落下したときなどにも損傷しにくくなる。また、表面ケースの左右端面が露出することで金属材料特有の重厚感、高級感が生じ、意匠性が向上する。
【００１０】
請求項３の発明は、前記表面ケースをアルミニウム材の押出成形により形成し、前記固定片の端面を表面ケースの左右端面に露出しないように切断加工したことを特徴とする。このような構成とすれば、金属製の表面ケースを効率的に製造することができ、リモコンの製造原価を下げることが可能となる。
【００１１】
請求項４の発明は、前記固定片に、ネジが挿通可能な貫通孔を開設し、前記固定片を挟んで前記ネジと対向する位置に前記ネジと螺合する雌ねじ部材を設けたことを特徴とする。このような構成とすれば、金属製の表面ケースに固定ネジを螺着するためのネジ孔を設ける必要がなくなるので、製造工程の簡略化を図ることができる。
【００１２】
請求項５の発明は、前記操作スイッチを、押圧可能なキートップと、前記キートップを保持する保持部材と、前記キートップの押圧によって変形するラバー部材と、前記ラバー部材の変形により入切されるスイッチを有するスイッチ回路部材とで構成したことを特徴とする。このような構成とすれば、操作スイッチ部分をコンパクト化することができるため、リモコン全体の小型化に有効である。
【００１３】
請求項６の発明は、前記操作スイッチを前記表面ケースの複数面に配置し、少なくとも一面に配置された操作スイッチを構成する前記スイッチ回路部材と、残余の面に配置された前記操作スイッチを構成する前記スイッチ回路部材とを第１通信線で接続し、前記スイッチ回路部材のいずれか一方と前記制御基板とを第２通信線で接続したことを特徴とする。このような構成とすれば、スイッチ回路部材からの信号経路を集約化することが可能となり、スイッチ回路部材間の配線、スイッチ回路部材と制御基板との間の配線が容易となるため、製造工程における組み立て性が向上する。
【００１４】
請求項７の発明は、前記樹脂基台の背面にハンガー取り付け部を設けたことを特徴とする。このような構成とすれば、トイレルーム壁面などに取り付けられたハンガーへの着脱性が向上するだけでなく、ハンガーに対する装着状態も安定する。
【００１５】
請求項８の発明は、前記操作スイッチの一部をシーソースイッチとしたことを特徴とする。このような構成とすれば、一つの操作スイッチに複数の機能を持たせることが可能となるため、操作スイッチの総数を減らすことができ、リモコンの小型化に有効である。
【００１６】
請求項９の発明は、前記樹脂基台に赤外線信号を発する投光部を設け、前記投光部が発する赤外線信号を透過させる赤外線フィルタを前記樹脂基台と一体化したことを特徴とする。このような構成とすれば、従来のリモコンにおける赤外通信用の赤外線フィルタ窓を嵌合した構成から感じられる異素材の嵌合による違和感を無くし、飛躍的に意匠性を高めることができる。
【００１７】
請求項１０の発明は、前記樹脂基台の背面に貫通孔を有する固定部品を設け、前記貫通孔を通して前記固定部品と前記ハンガーとをネジ止めしたことを特徴とする。このような構成とすれば、リモコンの背面側において、リモコンの盗難防止のための固定を行うことができるので、意匠性を低下させない。
【発明の効果】
【００１８】
本発明によれば、従来と比べて小型サイズながらも使い勝手が良く、高級感のある意匠性に富んだリモコンを提供することができる。
【発明を実施するための最良の形態】
【００１９】
以下、図面に基づいて、本発明の実施の形態であるリモコンについて説明する。なお、本実施形態のリモコンは、衛生洗浄装置の遠隔操作用として、トイレルーム壁面に取付けて使用することから、本願明細書においては、壁面に取付けた状態にあるリモコンの上側を天面、壁面に相対する面を背面、壁面の反対側に位置する面を正面として説明を行う。
【００２０】
図１は、本発明の実施の形態であるリモコンを示す図であり、平面図、正面図、背面図、右側面図である。リモコンは、正面、天面、底面および左右側面からなる六面体構造で形成されており、正面および天面は金属製の表面パネル（以下「表面ケース」という。）で一体的に形成され、底面、背面および左右側面を樹脂成形された樹脂基台（以下「樹脂基台」という。）で一体的に形成されている。
【００２１】
図１において、Ａはリモコン正面、Ｂはリモコン天面、Ｃはリモコン背面であり、１は天面部赤外線発光フィルタ、２はリモコン天面部操作部、３はリモコン正面部操作部、４はリモコン背面部操作部、５はリモコン背面部表示部、６は電池カバー、７は金属製の表面ケース、８は樹脂基台である。また、このリモコンを、トイレルーム壁面に取り付けられたハンガー（後述する図１４，図１５参照）に着脱自在に取り付けるため、リモコン背面Ｃの左右端部付近にそれぞれ溝状の取付け部１４２が１つずつ設けられている。
【００２２】
このリモコンは、トイレルーム壁面に取り付けられたハンガー（後述する図１４，図１５参照）に着脱自在であり、トイレルーム壁面のハンガーに取付けられた状態にあるとき露出することのないリモコン背面部操作部４は、使用頻度の少ないスイッチを群として配置し、これらは隠蔽されている。したがって、リモコン背面部操作部４は、リモコンをハンガーから外さない限り操作することができないので、誤操作を防止することができる。
【００２３】
また、衛生洗浄装置を操作するときに必要最低限で使用頻度の高いスイッチをリモコンの２面に分けて配置しているので、機能に合った操作部を群として、リモコンの正面と天面とに分離配置することができ、リモコンを小型化することができる。
【００２４】
リモコンの表面ケースとして使用される金属製表面ケース７はＬ型に折曲されており、リモコン正面Ａおよびリモコン天面Ｂの基材となっている。リモコン正面Ａには、リモコン正面部操作部３が配置され、リモコン天面Ｂには、天面部赤外線発光フィルタ１（ＩＲ窓）およびリモコン天面部操作部２が配置される構成である。壁取付け状態において、使用者が視認しやすい金属製表面ケース７に配するスイッチ類は、衛生洗浄装置本体の使用機能のなかで、おしり洗浄や便器洗浄、電動開閉などの使用頻度の高い動作指令系操作部のみとすることで、使用者が視認するスイッチ類を少なくし、スイッチ操作を限定させ、簡便な操作を提供することに寄与している。
【００２５】
リモコンの背面ケースとして使用される樹脂基台８は、リモコン背面Ｃの基材となっている。リモコン背面Ｃには、リモコン背面部操作部４、リモコン背面部表示部５および電池カバー６を配し、衛生洗浄装置本体の使用機能のなかで、設定温度や時間、便器自動洗浄や自動座蓋開閉などのオート機能のＯＮ／ＯＦＦを指示する機能を有する設定指令系操作部のみをリモコン背面操作部４として設けている。
【００２６】
リモコンの壁取付け状態において、これらの設定指令系の操作部４，表示部５などを壁面側に隠蔽することにより、雑多な操作スイッチの露出を防ぎ、リモコン形状を大幅に小型化することが可能であり、狭い空間への取付けも容易となり、さらには意匠性を大幅に向上する価値を使用者に提供できる。
【００２７】
図２は、リモコンの断面図である。図２において、１１は正面部操作部用キートップ、１２は正面部操作部用ラバーシール、１３は正面部操作部用摺動パーツ、１４は正面部操作部用基板、１５は正面部操作部用スイッチ、１６はインナー押さえパーツ、１７は天面部メタルプレート、１８は天面部操作部用スイッチ、１９は天面部操作部用ラバーシール、２０は天面部操作部用キートップ、２１は天面部操作部用摺動パーツ、２２は天面部操作部用押さえネジ、２３は正面部操作部用押さえネジ、２４は背面部操作部用基板、２５はＬＣＤ表示部、２６は背面部操作部用キートップラバー基板、２７は背面部操作部用スイッチ、２８は正面部操作部用押さえネジ用嵌合パーツである。
【００２８】
金属製表面ケース７にはプレス加工およびＮＣ加工を用いて各穴や座繰りを施す。この金属製表面ケース７に正面部操作部用摺動パーツ１３を実装して、上から正面部操作部用キートップ１１を実装する。正面部操作部用摺動パーツ１３は金属製表面ケース７に加工された位置決め穴で、位置固定される構造を持ち、正面部操作部用摺動パーツ１３によって正面部操作部用キートップ１１自身も、金属製表面ケース７に位置決めされる。正面部操作部用摺動パーツ１３は正面部操作部用ラバーシール１２および正面部操作部用基板１４の取り付け基材となり、背面部操作部用基板２４によって支えられたインナー押さえパーツ１６によっても支持される。
【００２９】
この構造により、正面部操作部用キートップ１１を押し込んだ場合には、正面部操作部用スイッチ１５に作動力が発生し、スイッチの起動が可能となる。更に、押し込まれた荷重については、インナー押さえパーツ１６の支持により保持する構造となる。
【００３０】
金属製表面ケース７は数ｍｍの厚みをもった金属素材を使用し、押し出し成型やダイカスト成型により加工されるが、図１に示すように、その端面をあえて外観に露出する構造として、素材の厚み感を視認できるデザインとしている。
【００３１】
天面部操作部の構成については、金属製表面ケース７に天面部操作部用摺動パーツ２１を実装する。更に、天面部操作部用摺動パーツ２１の上に天面部操作部用キートップ２０を実装し、天面部操作部用摺動パーツ２１は金属製表面ケースに加工された位置決め穴で、位置出しされる構造を持ち、天面部操作部用摺動パーツ２１によって天面部操作部用キートップ２０自身も、金属製表面ケース７に位置決めされる。更に、天面部操作部用ラバーシール１９および天面部操作部用基板１７を実装するが、天面部操作部用基板１７はメタルプレート構造になっており、前述の天面部操作部の各スイッチを金属製表面ケース７に固定する基材となる。
【００３２】
天面部操作部用基板１７の片側は金属製表面ケース７の内側に成型したレールに引っ掛ける構造とし、逆側についてはＬアングルにて、金属製表面ケース７の内側に成型した別のレールと天面部操作部用押さえネジ２２によって結合させる。この構造により、天面部操作部用キートップ２０を押し込んだ場合には、天面部操作部用スイッチ１８に作動力が発生し、スイッチの起動が可能となる。
【００３３】
背面部操作部の構成については、樹脂基台８に背面操作部用穴を開口し、背面部操作部用キートップラバー基板２６を実装する。この上から、ＬＣＤ表示部２５および背面部操作部用スイッチ２７が実装された背面部操作部用基板２４を実装してネジ止めにより固定する。背面部操作部用基板２４は、正面部操作部用摺動パーツ１３によって支えられたインナー押さえパーツ１６によっても支持される。最後に、正面部操作部用押さえネジ用嵌合パーツ２８を介して正面部操作部用押さえネジ２３で固定することで本リモコンが組み立てられる。
【００３４】
この構成により、金属部材（金属製表面ケース７）と樹脂部材（樹脂基台８）との結合が可能になるばかりでなく、各部品のつなぎ目などをリモコンの外観に露出することを極力無くしている。また、金属製表面ケース７の厚みを、あえて外観に露出する構造として、素材の厚み感を視認できるデザインとすることが可能である。
【００３５】
図３は、赤外線投光部を説明するために、リモコンを一部内部透視状態とした概略背面図である（操作部や表示部の図示を省いている。）。図３において、３１は赤外線発光ＬＥＤである。発光ＬＥＤの投光方向の前方に設置する赤外線フィルタは、樹脂基台８と一部品とされた樹脂パーツとして構成する。これにより、従来ケースと赤外線フィルタを別パーツにて構成したときに発生する接合ラインがなくなり、意匠性が向上する。また、その接合ラインからリモコン内部に侵入する湿気に代表される雰囲気に対しても、侵入経路をなくすことで耐性を向上させることが可能となる。
【００３６】
図４は、リモコンの金属製表面ケース７のコーナーＲを説明する斜視図である。図において、４１はリモコンの正面Ａおよび天面Ｂを構成する金属製表面ケース７のコーナー部である。コーナー部にはＮＣ加工機により大きなＲが形成されている。さらに、金属性表面ケース７の端面に面取り加工を施している。この部分に大きくＲをとることで、リモコンを誤って落下したとき、衝突先に対して傷などを発生させる危険性を防止する効果があり、更には、リモコンを小さく見せる意匠的な効果がある。
【００３７】
図５は、リモコンの手持ち箇所を説明する外観図（平面図、正面図）である。なお、リモコンの操作部の態様を一部変更した例で説明する。図５において、５１はリモコン手持ちスペースである。図５に示すように、横幅２９０ｍｍ、高さ４０ｍｍ、奥行き（厚み）２３ｍｍの棒形状のリモコンにおいて、操作部の配置を図面上左方向に集めて配置しており、右方向にはリモコン背面を含めて操作部の配置を避けた構成としている。
【００３８】
これにより、使用者がリモコンの手持ち操作をする際に、手持ちスペース５１を握れば、意図せず操作部を押下してしまう不具合を回避できる。また、使用者は手指を折り曲げて確実にリモコンを握ることができ、壁取付け時の前出寸法を小さくすることができる。更に、本リモコンの特徴である金属の重量や温度を、使用者が堪能するに適した構成とすることができる。
【００３９】
手持ちスペース５１には積極的にラウンド形状を施し、握りやすい構造としており、手持ち操作時の操作部の操作がしやすい工夫が施してある。更には、リモコンの電池収容スペースをこの手持ちスペース５１に配することにより、小型リモコンとしての部品スペースの有効活用が意図された構造となっている。
【００４０】
図６は、リモコンのスイッチ表示に使用するピクトグラムの例を示す図である。図６において、６１は「おしり洗浄表示」、６３は「やわらか洗浄表示」、６５は「ビデ洗浄表示」、６７は「乾燥表示」である。さらに、６２は「おしり洗浄表示」の第二例、６４は「やわらか洗浄表示」の第二例、６６は「ビデ洗浄表示」の第二例、６８は「乾燥表示」の第二例である。
【００４１】
このように、本リモコンにおいては、使用頻度の高いスイッチ類、すなわち衛生洗浄装置の洗浄・乾燥機能の操作スイッチをクローズアップし、使用者の視認し易い金属製表面ケース７の正面に配することにより、煩わしいスイッチ選択をさせない構成である。加えて、これらピクトグラム表示をスイッチキートップ上又はその近傍に配することで、詳細の機能説明をしなくともスイッチの意味を使用者に簡潔に理解させることができる。
【００４２】
更に、文字表示をピクトグラムに対して充分に小さい大きさとして補助的に使うことにより、文字表示を必要とする使用者にも配慮することができる。このような構成としたことにより、煩雑な情報を金属製表面ケース７に表示しない、意匠性の高いリモコンを使用者に提供することができる。
【００４３】
図７は、リモコンのスイッチ表示に使用するキートップ形状表現の別の例を示す図である。７１は「おしり洗浄キートップ形状表示」、７２は「やわらか洗浄キートップ形状表示」、７３は「ビデ洗浄キートップ形状表示」、７４は「乾燥キートップ形状表示」、７５は「水勢調節キートップ形状表示」である。７６は「おしり洗浄キートップ形状表示」の横面視、７７は「やわらか洗浄キートップ形状表示」の横面視、７８は「ビデ洗浄キートップ形状表示」の横面視、７９は「乾燥キートップ形状表示」の横面視、８０は「水勢調節キートップ形状表示」の横面視である。本リモコンにおいては、比較的良く使用されるスイッチ類のみをクローズアップして金属製表面ケース面に配して、使用者に煩わしいスイッチ選択をさせない構成である。
【００４４】
加えて、これらキートップ形状表現を操作部キートップ内に配することで、詳細の機能説明をしなくともスイッチの意味を使用者に簡潔に理解させることができる。更には、文字表示を補助的に使うことで、文字表示を必要とする使用者にも配慮することができる。これにより、煩雑な情報を金属製表面ケース７に表示しない、意匠性の高いリモコンを使用者に提供することができる。
【００４５】
図８は、リモコン天面に配する赤外線フィルタと操作部の関係を示す平面図である。このリモコンは、前述した側面に投光する赤外線投光部に加え、上方に投光する赤外線投光部を有する。図８において、１は天面部赤外線発光フィルタ、２はリモコン天面部操作部である。リモコン天面に配する天面部赤外線発光フィルタ（ＩＲ窓）１および天面部操作部２は共に同径の円形状であり、その中心点を揃えて配置間隔を均等にしている。
【００４６】
これは、従来、特異な存在感を持ってしまっていた赤外線発光フィルタ１を、操作部２の並びの中に踏襲してしまうことを意図したデザインである。これにより、使用者に、赤外線発光フィルタ１の持つ異素材感を与えないようにすることができるだけでなく、リモコン天面Ｂの意匠性を向上することができる。
【００４７】
図９は、リモコン正面に配されている湾曲型スイッチを説明する図である。図９において、９１はノズル位置調節操作部、９２は水勢調節操作部、９３はリモコン内部に設けたスイッチ、９４は操作部を構成するキートップである。従来、ノズル位置調節操作部及び水勢調節操作部は、例えば、ノズル位置調節操作部の場合、ノズルの伸出方向に一つの操作部、収納方向に一つの操作部というように合計２個の操作部を配して、調節の状況を表示するインジケータなどを併用して構成する場合が多かった。
【００４８】
しかしながら、ノズルの位置および吐水の勢いは、使用者がスイッチ操作した場合に直接その変化を感じることができるため、インジケータをなくして、操作部キートップを統一することにより、２個の操作部を１個に統合することが可能である。
【００４９】
この操作スイッチは、表面を凹型に湾曲させた湾曲型キートップ９４とリモコン内部スイッチ９３で構成され、キートップ９４表面側部の凸部分を押下することで、スイッチ入力を受け付ける構造となる。更には、リモコン内部、特にハンガーへの取付け部に、位置検出などのスイッチを搭載することで、リモコン本体を上下左右に動かしたり、取り付け面に押し込んだりする動作を検出してスイッチ入力と判断させれば、使用者に違和感を与えず簡素化したスイッチ操作を提供することができる。更にスイッチの数を減らすことができ、リモコン形状を小型化することも可能となる。
【００５０】
図１０は、本リモコンを卓上に置いた場合に好適に使用できるリモコンの変形例を示す断面図である。図１０において、１０１はリモコン正面（Ａ）、１０２はリモコン背面（Ｃ）、１０３はリモコン底面である。リモコン底面１０３に、後方に傾く傾斜を設けることによって、リモコン本体を、使用者の目線より低い位置にある棚上などに直置きした際に、リモコン正面に仰角を持たせることが可能となる。したがって、使用者の目線からリモコンの正面部操作部を捉えやすくなり、スイッチ類を判別しやすくなり、リモコン全体の視認性が向上する。
【００５１】
図１１は、本発明のリモコンを縦横両用リモコンとした実施形態を説明する外観図であり、１１１は横型リモコンとした状態を示し、１１２は縦型リモコンとした状態を示している。図１１において、１１３は操作部キートップ、１１４はキートップ切溝、１１５はキートップ受皿パーツ、１１６はキートップ受皿パーツの突起部である。
【００５２】
キートップ受皿パーツ１１５に構成されたキートップ受皿パーツの突起部１１６に対して、操作部キートップ１１３に構成されたキートップ溝１１４を９０度回転させて嵌合させることで、本リモコンに対する操作部キートップ１１３は、横型リモコン１１１あるいは縦型リモコン１１２に合わせて向きを変更する対応が可能となる。なお、操作部の構成を代えずに、操作部のピクトグラム表示をシールにして後から貼り付けることでも操作部の向きを変更できる効果がある。
【００５３】
このような構成とすることにより、設置場所の壁スペースの状況に応じたリモコンの取り付けの選択肢が増えるので、施工性が向上するほか、使用者の好みに応じたリモコンの意匠を提供することが可能となる。また、リモコンを自在に縦型・横型に変更することが可能であるため、例えば、リモコン取付けスペースが狭い壁面においても最適な取付け状態を選択することができ、利便性に優れている。
【００５４】
図１２は、本リモコンの壁取り付け状況に応じた赤外線発光箇所についての説明図である。図１２において、１２１は衛生洗浄装置（衛生洗浄便座）であり、１２２は右壁取り付け時のリモコン、１２３は右壁取り付け時のリモコン赤外線発光経路、１２４は左壁取り付け時のリモコン、１２５は左壁取り付け時のリモコン赤外線発光経路、１２６は衛生洗浄装置の受光部である。
【００５５】
施工時にリモコン取り付け壁が右に決定した場合、リモコンの止め操作部といずれかの操作部の長押しや複数押しの特殊操作を行い、右壁設置を記憶させる。右壁取り付け時のリモコン１２２は右壁取り付け時のリモコン赤外線発光経路１２３（リモコンの右側側面の赤外線発光ＬＥＤからの投光）によって、衛生洗浄装置１２１の受光部１２６に向かう最短の経路で赤外線を発光させる。
【００５６】
同様に、施工時にリモコン取り付け壁が左に決定した場合、リモコンの止め操作部と右壁設定時とは異なるいずれかの操作部の長押しや複数押しの特殊操作を行い、左壁設置を記憶させる。左壁取り付け時のリモコン１２４は左壁取り付け時のリモコン赤外線発光経路１２５（リモコンの左側側面の赤外線発光ＬＥＤからの投光）によって、衛生洗浄装置の受光部１２６に向かう最短の経路で赤外線を発光させる。
【００５７】
このような構成としたことにより、衛生洗浄装置１２１に信号伝達するのに最適な赤外線発光ＬＥＤを選択して発光させることができるので、赤外通信で消費する電力を低減することが可能となり、省エネ化、電池寿命の延命化を図ることができる。
【００５８】
図１３は、リモコンの壁取り付け時には消灯し、リモコン天面のスイッチ群の少なくともどれか１つのスイッチを押下したときに点灯する機能を示した回路ブロック図である。図１３において、１３１はリモコン背面に形成されたリモコン液晶表示部（図１の符号５に該当）、１３２はリモコンＣＰＵ、１３３は壁取り付け検出手段、１３４はリモコン天面のスイッチ群の入力手段である。
【００５９】
リモコンが壁面に取り付けられると、リモコン取付部に設けられて、リモコンがハンガーに保持されたことを検知する壁取り付け検出手段１３３の入力をリモコンＣＰＵ１３２が認識し、リモコン液晶表示部１３１を消灯させる。その後、リモコンＣＰＵは電池消費を軽減するためにスリープモードに入るが、使用者がリモコンを壁から取り外した際に、再度壁取り付け検出手段の外部割り込み信号によりウエイクアップし、リモコン液晶表示部１３１を点灯させる。あるいは、リモコンが壁取り付け状態であっても、天面部操作部のスイッチ群の入力手段を使用者が操作した場合に、リモコン液晶表示部１３１を点灯させる。
【００６０】
このような構成としたことにより、使用者が表示を確認する必要があるときのみリモコン液晶表示部１３１を点灯させることが可能となるため、液晶やＬＥＤによる不要な電池消耗を回避することができ、省エネ化、電池寿命の延命化を図ることができる。
【００６１】
図１４（ａ）はリモコンをハンガー１４４に取り付けた壁掛け状態を示す正面図であり、同（ｂ）は前記リモコンの平面図であり、図１５はハンガー１４４を示す正面図および平面図である。図１４において、１４１は壁、１４２はリモコン本体の左右２箇所に設けられた溝状の取付け部、１４３は背面操作部４とハンガー１４４の間に形成された隙間、１４４はハンガー、１４５はハンガー１４４の左右２箇所に設けられたリモコンフック、１４６はハンガー壁取り付けネジ穴である。
【００６２】
ハンガー１４４は、壁１４１にハンガー壁取り付けネジ穴１４６を利用してネジ止めして固定する。ネジの利かない硬い材質の壁については、あらかじめアンカーを打った状態でネジ止めして固定する。壁に取り付けたハンガー１４４には、リモコンフック１４５が左右２箇所に設けられており、これらのフック１４５に、リモコン本体に設けられた溝状の取付け部１４２を、リモコン底面側からそれぞれ引っ掛けて係合させる。
【００６３】
溝状の取付け部１４２は、リモコン底面からリモコン天面Ｂに向けて延びており、底面と天面Ｂのおよそ中間点でリモコンフック１４５が止まることになる。ハンガー１４４の両端に突出させた部分を形成し、そこにリモコンフック１４５を設けたので、リモコン壁取り付け状態においては、背面部操作部４とハンガー１４４の間に所定寸法の隙間１４３が空いており、背面部操作部４を誤って押下することはない。このように、取付け部１４２を設けたことにより、ハンガー１４４への着脱性が向上するだけでなく、ハンガー１４４に対する装着状態も安定する。
【００６４】
また、図示しないが、リモコンおよびハンガー１４４のいずれか一方に、縦方向に伸びる突条を形成し、他方に縦方向に伸びる溝を形成し、リモコンをハンガー１４４に取付けたときに、これらの突条と溝とが嵌り合うようにしている。このような構成とすれば、横方向に長い形状のリモコンの両端部をハンガー１４４で保持する取付け方法を採用した場合でも、リモコンをハンガー１４４にガタツキなく取付けることができる。
【００６５】
なお、取付け部１４２に、リモコンをハンガー１４４に装着したことを検知する機能を設ければ、例えば、ハンガー１４４に対するリモコンの装着時、非装着時とによって、一つの操作部を異なる機能に変化させることも可能となり、小型化に有効である。
【００６６】
リモコンの正面部操作部３及び天面部操作部２の操作については、正面側から視認可能であって、自由に操作可能な構成となっている。また、リモコンの背面部操作部４は、リモコンを壁取り付けた状態では、壁面側に隠蔽され、視認不可能となるので、雑多なリモコンスイッチの露出を防ぐことができる。更に、リモコンの複数の面に操作部を分散させたことによりリモコン形状を大幅に小型化することが可能で、狭い空間への取り付けも容易となり、意匠性を大幅に向上する価値を使用者に提供できる。
【００６７】
次に、図１６〜図２３を参照して、本発明のその他の実施形態であるリモコンについて説明する。図１６はその他の実施の形態であるリモコンを示す斜視図、図１７（ａ）は図１６に示すリモコンを構成する表面ケースの平面図、同（ｂ）は前記リモコンの正面図、図１８（ａ）は図１７に示す表面ケースの底面図、同（ｂ）は前記表面ケースの背面図、図１９（ａ）は図１７に示す表面ケースの右側面図、同（ｂ）は図１７（ｂ）のＣ−Ｃ線における断面図である。
【００６８】
図１６に示すように、本実施形態のリモコン２００は、正面２００Ａ、天面２００Ｂ、背面２００Ｃ、底面２００Ｄおよび左右側面２００Ｅからなる六面体形状をなしており、正面２００Ａおよび天面２００Ｂを金属製の表面ケース２０７で形成し、残余の面である背面２００Ｃ、底面２００Ｄおよび左右側面２００Ｅを樹脂基台２０８で形成している。そして、表面ケース２０７の一部である正面２００Ａに複数の操作スイッチ２０３，２０３ｘを配置し、同じく天面２００Ｂに複数の操作スイッチ２０２を配置している。
【００６９】
これらの操作スイッチ２０２，２０３，２０３ｘは、手動操作することによって衛生洗浄装置へ動作信号を送信する動作指令系操作部である。なお、リモコン２００の背面２００Ｃには、前述した実施形態の場合と同様に、設定指令系操作スイッチ２０５、表示部、電池カバーが設けられている。
【００７０】
このような構成とすれば、リモコン２００において、使用者の目につきやすい正面２００Ａおよび天面２００Ｂは、金属製の表面ケース２０７で形成された金属面となるので、金属材料特有の精度感、高級感が生じ、意匠性が向上する。
【００７１】
また、図１７〜図１９に示すように、表面ケース２０７は、断面が略Ｌ字状をした金属部材であり、その正面２００Ａには、複数の操作スイッチ２０３をそれぞれ装着するための複数の貫通孔２０７ｈが一定間隔をおいて直列状に開設され、天面２００Ｂには、複数の操作スイッチ２０２などをそれぞれ装着するための複数の貫通孔２０７ｉが一定間隔をおいて直列状に開設されている。
【００７２】
表面ケース２０７の正面２００Ａの内面２０７ａの端部より少し内側には、天面２００Ｂと平行に突出した固定片２０７ｓが一体的に形成され、表面ケース２０７の天面２００Ｂの内面２０７ｂの端部より少し内側には正面２００Ａと平行に突出した固定片２０７ｔが一体的に形成されている。
【００７３】
また、表面ケース２０７の内側に形成された固定片２０７ｓ，２０７ｔの左右の端部２０７ｅはそれぞれ表面ケース２０７の左右の端面２０７Ｅより内側に位置している。したがって、図１６に示すような組み立て状態においては、固定片２０７ｓ，２０７ｔの端部２０７ｅは、樹脂基台２０８の左右側面２００Ｅよりも内側に位置しており、表面ケース２０７の左右端面２０７Ｅは、樹脂基台２０８の左右側面２００Ｅと略同一面をなしている。
【００７４】
このような構成とすれば、樹脂基台２０８の左右側面２００Ｅにそれぞれ金属製の表面ケース２０７の左右端面２０７Ｅが露出した状態となり、樹脂基台２０８の左右側面２００Ｅの強度が高まるため、誤ってリモコン２００が落下したときなどにも損傷しにくくなる。また、リモコン２００の左右側面２００Ｅにそれぞれ表面ケース２０７の左右端面２０７Ｅが露出することにより、表面ケース２０７の厚みが視認できるので、金属材料特有の重厚感、高級感が生じ、意匠性が向上する。
【００７５】
さらに、固定片２０７ｓには、後述する図２０に示すように、押さえネジ２３を螺着させる嵌合パーツ２８を係止するための四角形の貫通孔２０７ｆが複数開設され、固定片２０７ｔには、同じく押さえネジ２２が挿通可能な貫通孔２０７ｇが複数開設されている。
【００７６】
なお、表面ケース２０７の製造方法については限定するものではないが、本実施形態では、アルミニウム材を押出成形して正面２００Ａ、天面２００Ｂ、固定片２０７ｓ，２０７ｔを一体成形した後、固定片２０７ｓ，２０７ｔにプレス加工を施して、固定片２０７ｓ，２０７ｔの左右両端をそれぞれ切断して表面ケース２０７の左右の端面２０７Ｅより内側に位置する端部２０７ｅを形成し、貫通孔２０７ｆ，２０７ｇを形成することによって製造している。
【００７７】
次に、図２０〜図２４を参照して、リモコン２００の内部構造について説明する。図２０は図１６のＡ−Ａ線における断面図、図２１は図２０の一部省略分解図、図２２，図２３は図２０の部分拡大図、図２４は図１６のＢ−Ｂ線における部分断面図である。
【００７８】
図２０に示すように、制御基板２０１が取り付けられた樹脂基台２０８と表面ケース２０７とは、複数の押さえネジ２２，２３を用いて接合されている。押さえネジ２２は、表面ケース２０７の固定片２０７ｔの貫通孔２０７ｇを挿通し、その裏側に配置されたメタルプレート２０４に形成された雌ねじ孔２０４ｍに螺着されている。押さえネジ２３は、表面ケース２０７の固定片２０７ｓの貫通孔２０７ｆに係止された嵌合パーツ２８に螺着されている。これらのメタルプレート２０４および嵌合パーツ２８が雌ねじ部材に相当する。
【００７９】
このように、固定片２０７ｓ，２０７ｔに、押さえネジ２２，２３（雄ネジ）が挿通可能な貫通孔２０７ｇ，２０７ｆを開設し、固定片２０７ｓ，２０７ｔを挟んで押さえネジ２２，２３と対向する位置に、押さえネジ２２，２３と螺合する雌ねじ孔２０４ｍを有するメタルプレート２０４を設けたことにより、金属製の表面ケース２０７に固定用の押さえネジ２２，２３（固定ネジ）を螺着するためのネジ孔を設ける必要がなくなるので、表面ケース２０７にタップ加工を施す必要もなくなり、製造工程の簡略化を図ることができる。
【００８０】
特に、表面ケース２０７をアルミニウム材で形成した場合、素材の特性上、強固な雌ネジ部を形成することが困難であるが、本実施形態のように、内部に設けたメタルプレート２０４に雌ネジ孔２０４ｍを形成すれば、アルミニウム材特有の外観を活かしたリモコンを得ることができる。
【００８１】
一方、制御基板２０１は、操作スイッチ２０２，２０３，２０５からの入力信号を受け、表示部の表示内容を変更したり、衛生洗浄装置への赤外線信号送信を司る制御部であるほか、背面側に操作スイッチ２０５のシートスイッチ２０５ｅを付設したスイッチ基板となっている。
【００８２】
また、制御基板２０１の一端には、衛生洗浄装置へ赤外線を発信するＬＥＤからなる投光部を設けている。なお、この投光部は、リモコン２００の左右両端にそれぞれ設けられるが、制御基板２０１自体は、間に電池ボックスを介して２つに分離されている。すなわち、前述した制御部とスイッチ基板の機能を持ち第一のＬＥＤを有する第一基板と、第２ＬＥＤおよび第三ＬＥＤを有する第二基板とに分離され、それぞれ信号線で接続されている。これら３つのＬＥＤのうち、第一および第二のＬＥＤはそれぞれリモコン２００の左右側面２００Ｅに向けて赤外線を発信する向きに配置されるが、第三のＬＥＤはリモコン２００の天面２００Ｃに向けて赤外線を発信する向きに設定されている。
【００８３】
各ＬＥＤから発信された赤外線は、リモコン２００の天面２００Ｃから赤外線発光フィルタ（ＩＲ窓）を通してリモコン２００外へ出るが、リモコン２００の左右側面２００Ｅからは赤外線透過ＡＢＳ樹脂からなる樹脂基台２０８を通してリモコン２００外へ出るようになっている。
【００８４】
また、図２１に示すように、操作スイッチ２０２を構成するスイッチ回路部材（シートスイッチ２０２ｅ）および操作スイッチ２０３を構成するスイッチ基板２０３ｄが取り付けられた表面ケース２０７と、制御基板２０１が取り付けられた樹脂基台２０８とを対向させて組み立てた後、押さえネジ２２を、固定片２０７ｔの貫通孔２０７ｇからメタルプレート２０４の雌ねじ孔２０４ｍに螺合させ、押さえネジ２３を、固定片２０７ｓの嵌合パーツ２８の雌ねじ孔２８ｍに螺合させ、それぞれ締め付ければ、表面ケース２０７と樹脂基台２０８とを接合することができる。
【００８５】
一方、図２２，図２３に示すように、操作スイッチ２０２は、キートップ２０２ａと、キートップ２０２ａの手動操作による押し下げをガイドする樹脂製の保持部材２０２ｂと、キートップ２０２ａの押し下げにより変形するゴム製のラバー部材２０２ｃと、ラバー部材２０２ｃの一端が接触、離隔して入切されるスイッチを有するシートスイッチ２０２ｅとで構成されている。保持部材２０２ｂの裏側からキートップ２０２ａを嵌め込み、さらにラバー部材２０２ｃを被せて、保持部材２０２ｂの爪片（図示せず）にラバー部材２０２ｃを係合させて天面スイッチユニットとして一体化する。
【００８６】
また、操作スイッチ２０３は、キートップ２０３ａと、キートップ２０３ａの手動操作による押し下げをガイドする樹脂製の保持部材２０３ｂと、キートップ２０３ａの押し下げにより変形するゴム製のラバー部材２０３ｃと、ラバー部材２０３ｃの一端が接触、離隔して入切されるスイッチを有するスイッチ基板２０３ｄとで構成されている。保持部材２０３ｂの裏側からキートップ２０３ａを嵌め込み、さらにラバー部材２０３ｃを被せて、保持部材２０３ｂの爪片（図示せず）にラバー部材２０３ｃを係合させて正面スイッチユニットとして一体化する。そして、スイッチ基板２０３ｄにはシートスイッチ２０３ｅが付設され、スイッチ基板２０３ｄと、シートスイッチ２０３ｅとによってスイッチ回路部材を形成している。
【００８７】
このような構成とすれば、操作スイッチ２０２，２０３の部分をコンパクト化することができるため、操作スイッチ２０２，２０３関連部材の占有スペースが減少し、リモコン２００全体の小型化に有効である。
【００８８】
また、図１６に示すように、複数の操作スイッチ２０２，２０３を表面ケース２０７の正面２００Ａおよび天面２００Ｂの複数面に配置し、図２０に示すように、正面２００Ａに配置された操作スイッチ２０３を構成するスイッチ基板２０３ｄと、天面２００Ｂに配置された操作スイッチ２０２を構成するシートスイッチ（スイッチ回路基板）２０２ｅとを第１通信線２１９で接続し、スイッチ基板２０３ｄと制御基板２０１とを第２通信線２２２で接続している。
【００８９】
なお、第１通信線２１９とスイッチ基板２０３ｄとの接続、および第２通信線２２２とスイッチ基板２０３ｄおよび制御基板２０１との接続は、それぞれコネクタ２２１を介して行われている。すなわち、操作スイッチ２０２と操作スイッチ２０３とを、スイッチ回路部材を独立させて構成していても、スイッチ回路部材と制御基板２０１との電気的接続は、一方のスイッチ回路部材（本実施形態ではスイッチ基板２０３ｄおよびシートスイッチ２０３ｅからなるスイッチ回路部材）との間だけでなされる。このような構成とすれば、複数のスイッチ回路部材と制御基板２０１との間の配線が容易となるため、製造工程における組み立て性が向上する。
【００９０】
一方、図１６に示すリモコン２００の正面２００Ａに配置された複数の操作スイッチのうち、操作スイッチ２０３ｘは、図２４に示すようなシーソースイッチを用いている。図２４に示すように、操作スイッチ２０３ｘは、揺動中心にキートップ軸２０３ｖを有するシーソータイプのキートップ２０３ｓと、キートップ軸２０３ｖを軸支して揺動を保持する保持部材２０３ｂと、キートップ２０３ｓの揺動に応じて変形するラバー部材２０３ｔと、変形したラバー部材２０３ｔによって押圧されるシートスイッチ２０３ｕとで構成されている。
【００９１】
このように、操作スイッチ２０３ｘは、一つの機能を段階的に調節する、例えば、水量調節機能や衛生洗浄装置のノズル位置調節機能の調節スイッチとしているので、一つのキートップ２０３ｓで設定値の上下調節を行うことが可能であり、これによって操作スイッチの総数を減らすことができるため、リモコン２００の小型化に有効である。
【００９２】
ここで、操作スイッチ２０２，２０３の表面ケース２０７への取付け構造について説明する。まず、表面ケース２０７の天面２００Ｂに向けて天面スイッチユニット（キートップ２０２ａ、保持部材２０２ｂおよびラバー部材２０２ｃからなるユニット）を挿入し、その下にメタルプレート２０４を設置する。このとき、両者の間にシートスイッチ２０２ｅを挟んでおく。そして、表面ケース２０７の正面２００Ａ側に向けて正面スイッチユニット（キートップ２０３ａ、保持部材２０３ｂおよびラバー部材２０３ｃからなるユニット）を挿入した後、スイッチ基板２０３ｄを装着し、樹脂製の保持部材２０３ｂにネジ止めする。この状態で天面２００Ｂ側のスイッチユニットやメタルプレート２０４は正面スイッチユニットにより仮固定される。
【００９３】
次に、スイッチ基板２０３ｄにインナー押さえパーツ２１０を挿入する。インナー押さえパーツ２１０は、図２１に示すようにメタルプレート２０４と嵌合パーツ２８の間に差し込まれて、両者を位置決めしている。この状態で、制御基板２０１がネジ止めされた樹脂基台２０８と表面ケース２０７とを組み合わせた上で、押さえネジ２２，２３を螺合して接合する。
【００９４】
このような構造とすれば、天面２００Ｂ側の操作スイッチ２０２を手動操作すると、インナー押さえパーツ２１０で位置決めされたメタルプレート２０４が力を受けて、スイッチ入力が良好に行なわれる。これにより、天面２００Ｂ側の操作スイッチ２０２のスイッチ回路部材２０２ｅに基板を持たせる必要がなくなったので、コンパクトな構成にすることができた。
【００９５】
次に、図２０〜図２１を参照してリモコン２００の背面２００Ｃについて説明する。リモコン２００の背面２００Ｃには、前述したように、その両端部にハンガーへの取付け部を有し、さらに取付け部の間に、設定指令系操作部と表示部と電池カバーを設けている。設定指令系操作部は、キートップ２０５ａと、制御基板２０１に付設されたシートスイッチ２０５ｅとからなり、キートップ２０５ａを押圧するとその基部が変形してシートスイッチ２０５ｅに接触してスイッチ入力がなされる仕様である。
【００９６】
表示部は、制御基板２０１上に設けられる液晶表示部（ＬＣＤ表示部）２０６と、樹脂基台２０８に凹設される透明板２０８ａとで構成される。液晶表示部２０６は、透明板２０８ａで覆われているため、リモコン２００をハンガーに着脱する際に確実に傷付きが防止される。なお、透明板２０８ａには、設定指令系操作部や表示部の説明文字を印刷している。
【００９７】
また、電池カバーを外すと、電池収納部とＤＩＰスイッチが露出する。ＤＩＰスイッチの設定を切り換えることで、リモコン２００から衛生洗浄装置に送信する赤外線信号に、異なる識別コードを付与することができる。電池カバーは簡単に外すことができるので、リモコン２００を分解することなく、ＤＩＰスイッチの切換を容易に行うことができる。
【００９８】
なお、電池収納部と、表面ケース２０７との間には、電池からの放電が金属製の表面ケース２０７に達しないように、表面ケース２０７の裏面に樹脂フィルムシートを貼り付けている。また、金属製の表面ケース２０７の帯電防止のため、電池収納部の負極側から表面ケース２０７に端子（図示せず）を延設して接触させているので、使用者が表面ケース２０７に触れても静電気が発生しない。
【００９９】
次に、図２５を参照して、本実施形態のリモコン２００の特殊な使い方について説明する。図２５（ａ）はリモコンの後方斜視図、同図（ｂ）はリモコンをハンガーに装着した状態を示す一部切欠断面図である。
【０１００】
本実施形態のリモコン２００は、その背面にも設定指令系操作部、表示部等が配置されていることから、ハンガーから外しても使用できることが前提となる。ところが、これらのリモコン２００およびハンガーを店舗やホテル等の公共施設に設置した場合は、盗難にあうこともあるので、その対策が必要となる。しかしながら、本実施形態のリモコン２００は、表面に金属製の表面ケース２０７を設けているため、通常のリモコンのように、表面側からハンガーに向けてネジ止めすることができない。
【０１０１】
そこで、図２５に示すように、リモコン２００の背面２００Ｃに固定部品３００を保持させ、この保持部品３００をハンガー２２０にネジ止めすることもできる。固定部品３００は、リモコン背面２００Ｃの小穴に嵌着されるベース部材３００ａと、ベース部材３００ａの貫通孔に挿入される固定ネジ３００ｂと、固定ビス３００ｂに下から差し込んで固定ネジ３００ｂを抜け止めするブッシュ３００ｃとで構成されている。
【０１０２】
このリモコン２００の背面２００Ｃに固定部品３００を嵌着した状態で、リモコン２００の取付け部２０８ｂをハンガー２２０のフックに係合する。そして、固定ネジ３００ｂをハンガー２２０に固定したナット２２０ａに螺合させる。なお、図２５（ｂ）に示すように、リモコン２００の背面２００Ｃとハンガー２２０との間に隙間を形成するため、リモコン２００の背面２００Ｃの一部突出させた突部２０８ｃを設けている。このようにして形成された隙間により、リモコン２００の背面２００Ｃの操作スイッチ２０５がハンガー２２０に接触して誤動作するのを防いでいる。
【０１０３】
このような構造により、リモコン２００は、第一にハンガー２２０のフックとの係合により前後方向の移動が拘束され、第二に固定部品３００の固定ネジ３００ｂをハンガー２２０に螺合することにより上下方向の移動が拘束されるので、リモコン２００はハンガー２２０から外れることはない。また、盗難防止用の部材は、すべてリモコン２００の背面側に設けられるので、意匠性を阻害することはない。
【０１０４】
無論、リモコン２００の背面２００Ｃの設定指令系操作部を操作したり、電池交換を行なう際には、固定ネジ３００ｂを外せば、容易に取り外すことができる。その際、固定ネジ３００ｂは、ブッシュ３００ｃによりベース部材３００ａから外れないようになっているので、誤って固定ネジ３００ｂを落とす心配もなくなる。
【産業上の利用可能性】
【０１０５】
本発明のリモコンは、トイレルームに設置された衛生洗浄装置等のトイレ装置に備わる種々の機能を遠隔操作によって作動させるための装置として広く利用することができる。
【図面の簡単な説明】
【０１０６】
【図１】本発明の一実施形態にかかるリモコンを説明する平面図，正面図，背面図および右側面図である。
【図２】リモコンの断面図である。
【図３】赤外線投光部を説明するために、リモコンを一部内部透視状態とした概略背面図である。
【図４】リモコンの金属製表面ケース７のコーナーＲを説明する斜視図である。
【図５】リモコンの手持ち箇所を説明する外観図である。
【図６】リモコンのスイッチ表示に使用するピクトグラムの例を示す図である。
【図７】リモコンのスイッチ表示に使用するキートップ形状表現の別の例を示す図である。
【図８】リモコン天面に配する赤外線フィルタと操作部の外観図である。
【図９】リモコン正面に配する湾曲型スイッチの外観図である。
【図１０】リモコンを卓上に置いた場合に好適に使用できるリモコンの変形例を示す断面図である。
【図１１】本発明のリモコンを縦横両用リモコンとした実施形態を説明する外観図である。
【図１２】リモコンの壁取り付け状況に応じた赤外線発光箇所についての説明図である。
【図１３】リモコンの壁取り付け時には消灯し、リモコン天面のスイッチ群の少なくともどれか１つのスイッチを押下したときに点灯する機能を示した回路ブロック図である。
【図１４】リモコンをハンガーに取り付けた壁掛け状態を示す正面図と平面図である。
【図１５】ハンガーを示す正面図と平面図である。
【図１６】本発明のその他の実施の形態であるリモコンを示す斜視図である。
【図１７】（ａ）は図１６に示すリモコンを構成する表面ケースの平面図、（ｂ）は前記リモコンの正面図である。
【図１８】（ａ）は図１７に示す表面ケースの底面図、（ｂ）は前記表面ケースの背面図である。
【図１９】（ａ）は図１７に示す表面ケースの右側面図、（ｂ）は図１７（ｂ）のＣ−Ｃ線における断面図である。
【図２０】図１６のＡ−Ａ線における断面図である。
【図２１】図２０の一部省略分解図である。
【図２２】図２０の部分拡大図である。
【図２３】図２０の部分拡大図である。
【図２４】図１６のＢ−Ｂ線における部分断面図である。
【図２５】リモコンの盗難防止構造を示す図であり、（ａ）は前記リモコンの後方斜視図、（ｂ）は前記リモコンをハンガーに装着した状態を示す一部切欠断面図である。
【符号の説明】
【０１０７】
Ａ  リモコン正面
Ｂ  リモコン天面
Ｃ  リモコン背面
１  天面部赤外線発光フィルタ（ＩＲ窓）
２  リモコン天面部操作部
３  リモコン正面部操作部
４  リモコン背面部操作部
５  リモコン背面部表示部
６  電池カバー
７  金属製表面ケース
８  樹脂基台
１１  正面部操作部用キートップ
１２  正面部操作部用ラバーシール
１３  正面部操作部用摺動パーツ
１４  正面部操作部用基板
１５  正面部操作部用スイッチ
１６  インナー押さえパーツ
１７  天面部メタルプレート（天面部操作部用基板）
１８  天面部操作部用スイッチ
１９  天面部操作部用ラバーシール
２０  天面部操作部用キートップ
２１  天面部操作部用摺動パーツ
２２  天面部操作部用押さえネジ
２３  正面部操作部用押さえネジ
２４  背面部操作部用基板
２５  ＬＣＤ表示部
２６  背面部操作部用キートップラバー基板
２７  背面部操作部用スイッチ
２８  正面部操作部用押さえネジ用嵌合パーツ
３１  赤外線発光ＬＥＤ
４１  コーナー部
５１  リモコン手持ちスペース（握り部）
９１  ノズル位置調節操作部
９２  水勢調節操作部
９３  スイッチ
９４  キートップ
１０１  リモコン正面
１０２  リモコン背面
１０３  リモコン底面
１１１  横型リモコン
１１２  縦型リモコン
１１３  操作部キートップ
１１４  キートップ切溝
１１５  キートップ受皿パーツ
１１６  突起部
１２１  衛生洗浄装置
１２２  右壁取り付け時のリモコン
１２３  右壁取り付け時のリモコン赤外線発光経路
１２４  左壁取り付け時のリモコン
１２５  左壁取り付け時のリモコン赤外線発光経路
１２６  受光部
１３１  リモコン液晶表示部
１３２  リモコンＣＰＵ
１３３  壁取り付け検出手段
１３４  スイッチ群の入力手段
１４１  壁
１４２  取付け部
１４３  背面スイッチとリモコンホルダーの隙間
１４４  ハンガー
１４５  リモコンフック
１４６  ハンガー壁取り付けネジ穴
２００  リモコン
２００Ａ  正面
２００Ｂ  天面
２００Ｃ  背面
２００Ｄ  底面
２００Ｅ  側面
２０１  制御基板
２０２，２０３，２０３ｘ  操作スイッチ
２０２ａ，２０３ａ，２０３ｓ，２０５ａ  キートップ
２０２ｂ，２０３ｂ  保持部材
２０２ｃ，２０３ｃ，２０３ｔ  ラバー部材
２０２ｄ，２０３ｄ  スイッチ基板
２０２ｅ，２０３ｅ，２０３ｕ，２０５ｅ  シートスイッチ（スイッチ回路部材）
２０３ｖ  キートップ軸
２０４  メタルプレート
２０４ｍ，２８ｍ  雌ねじ孔
２０５  設定指令系操作スイッチ
２０６  液晶表示部（ＬＣＤ表示部）
２０７  表面ケース
２０７ａ，２０７ｂ  内面
２０７ｅ  端部
２０７Ｅ  端面
２０７ｆ，２０７ｇ，２０７ｈ，２０７ｉ  貫通孔
２０７ｓ，２０７ｔ  固定片
２０８  樹脂基台
２０８ａ  透明板
２０８ｂ  取付け部
２０８ｃ  突部
２１０  インナー押さえパーツ
２１９  第１通信線
２２２  第２通信線
２２０  ハンガー
２２０ａ  ナット
２２１  コネクタ
３００  固定部品
３００ａ  ベース部材
３００ｂ  固定ネジ
３００ｃ  ブッシュ
【図１】
2005204270.tif 000003
【図２】
2005204270.tif 000004
【図３】
2005204270.tif 000005
【図４】
2005204270.tif 000006
【図５】
2005204270.tif 000007
【図６】
2005204270.tif 000008
【図７】
2005204270.tif 000009
【図８】
2005204270.tif 000010
【図９】
2005204270.tif 000011
【図１０】
2005204270.tif 000012
【図１１】
2005204270.tif 000013
【図１２】
2005204270.tif 000014
【図１３】
2005204270.tif 000015
【図１４】
2005204270.tif 000016
【図１５】
2005204270.tif 000017
【図１６】
2005204270.tif 000018
【図１７】
2005204270.tif 000019
【図１８】
2005204270.tif 000020
【図１９】
2005204270.tif 000021
【図２０】
2005204270.tif 000022
【図２１】
2005204270.tif 000023
【図２２】
2005204270.tif 000024
【図２３】
2005204270.tif 000025
【図２４】
2005204270.tif 000026
【図２５】
2005204270.tif 000027